(57)【要約】    【課題】  簡単に履いたり脱いだりでき、寝たきりの老人や病人等、介護を必要とするような人にとって使いやすい衣類を提供する。    【解決手段】  身体を覆うように用いられ、少なくとも一部に締付けを行う部分を有する衣類において、締付けを行う部分(12,51,61,71,72,73)を、表糸(40)と裏糸(41)の弾性糸とを平編みのシンカー乗せ編みした編み組織に構成する。靴下、腹巻、サポータの場合、靴下の場合には履口部、腹巻の場合には履口、サポーターの場合には差込み口、セーターの首回り口、袖口又は胴裾口にはコース方向の１目、２目又は３目にゴム糸(42)を編み込むのがよい。【選択図】  図３
2005179867.tif 000002
【特許請求の範囲】
【請求項１】
身体を覆うように用いられ、少なくとも一部に締付けを行う部分を有する衣類において、上記締付けを行う部分が、表糸と裏糸の弾性糸とを平編みのシンカー乗せ編みした編み組織に構成されていることを特徴とする衣類。
【請求項２】
履口部と靴下本体の少なくとも足首より上方の部分とが、表糸と裏糸の弾性糸とを平編みのシンカー乗せ編みした編み組織に構成されている一方、上記履口部にはコース方向の１目、２目又は３目にゴム糸が編み込まれていることを特徴とする靴下。
【請求項３】
筒状をなす全体が、表糸と裏糸の弾性糸とを平編みのシンカー乗せ編みした編み生地に構成されている一方、筒状両端の履口の少なくとも一方にはコース方向の１目、２目又は３目にゴム糸が編み込まれていることを特徴とする腹巻。
【請求項４】
筒状をなす全体が、表糸と裏糸の弾性糸とを平編みのシンカー乗せ編みした編み組織に構成されている一方、筒状両端の差込み口にはコース方向の１目、２目又は３目にゴム糸が編み込まれていることを特徴とするサポータ。
【請求項５】
首回り、袖口又は胴裾口の部分の少なくとも１つが、表糸と裏糸の弾性糸とを平編みのシンカー乗せ編みした編み組織に構成されていることを特徴とするセーター。
【発明の詳細な説明】
【技術分野】
【０００１】
この発明は衣類に関し、特に大きく伸ばして簡単に着脱することができ、しかも不快な窮屈感を感じない衣類、例えば簡単に履いたり脱いだりでき、寝たきりの老人や病人等、介護を必要とするような人にとって使いやすい靴下に関する。
【背景技術】
【０００２】
近年、医療技術の飛躍的な進歩に伴い、病気や事故による死亡は大幅に減少するようになったが、他方で、寝たきりの老人や病人が増加する傾向にあり、寝たきりの老人や病人の介護が大きな問題となっている。
【０００３】
ところで、靴下は平編み、メッシュ編み、パイル編み又はこれらの組合せによって下脚から足先に至る立体的形状に類似させた側面略く字状に製作されており、ゴム糸又は弾性糸の伸縮弾性によって締付け力を付与することが行われている。
【０００４】
一般的な靴下では帯状の履口部を除く靴下本体についてはその裏糸の弾性糸、例えばカバーリングヤーンの適度な伸縮弾性により、靴下を履いた人の脚や足にフィットさせる一方、履口部については更にゴム糸を編み込み、ゴム糸の大きな伸縮弾性によって靴下のずり落ちを防止するようにしている。
【０００５】
長期にわたって寝ていた老人や病人は健康が回復しても、足腰の筋力が弱っていることが多い。しかし、従来の一般的な靴下では弾性糸やゴム糸の伸縮弾性が老人や病人にとっては強くなりすぎ、他人の手を煩わせることなく、自力で靴下を履きたい場合にも健常者と同様に、履口部を両手でひろげて足を足先から差し込み、履口部を上方に引っ張り上げて履くという動作を円滑に行ない難いのが実情である。
【０００６】
これに対し、履口部や靴下本体の弾性糸やゴム糸をコース方向に複数目飛ばしながら編み込むことにより、締付け力を適度に弱くした靴下（特許文献１）、履口部の後半部分をパイル編みのシンカー乗せ編みで編成するとともに、裏糸のゴム糸又は弾性糸をコース方向に１目ないし３目飛ばしながら編み込むことにより、履口部の適度な締付け力を確保しつつ、簡単かつ円滑に履けるようにした靴下（特許文献２）、が提案されている。
【特許文献１】特開２００１−２６２４０４号公報
【特許文献２】特開２００１−３０３４０４号公報
【発明の開示】
【発明が解決しようとする課題】
【０００７】
しかし、上記特許文献記載の靴下では裏糸のゴム糸又は弾性糸によって適度な伸縮弾性が得られるものの、その伸縮弾性に起因して伸びに限界があって大きく伸ばすことが難しいので、靴下を履いている際に靴下本体が十分に伸びずに爪先に引っ掛かることがあり、寝たきりあるいは少し回復した老人や病人には依然として履きにくいことがあり、この点が改善の余地があった。
【０００８】
本発明はかかる問題点に鑑み、簡単に履いたり脱いだりでき、寝たきりの老人や病人等、介護を必要とするような人にとって使いやすい靴下を提供することを課題とする。
【課題を解決するための手段】
【０００９】
本件発明者は上述の課題を解決すべく鋭意研究を重ねた結果、弾性糸を裏糸とし、表糸と裏糸を平編みのシンカー乗せ編みで編むと、編み目の山が低くなることによって伸びが生じ、目の山の高さを調整することによって３倍をはるかに超える伸びが得られ、しかも低くなった目の山が元の高さに復帰する際の復元力によって締付け力が得られ、ゴム糸や弾性糸の伸縮弾性によって得られる締付け力に比して小さくできることを知見するに至った。しかも、この表糸と弾性糸の平編みのシンカー乗せ編みは靴下以外に、締付け部分を有する他の衣類、例えば腹巻、サポータ、セーターの首回り、袖口や胴裾口の部分にも同様に適用できることが判明した。
【００１０】
そこで、本発明に係る衣類は、身体を覆うように用いられ、少なくとも一部に締付けを行う部分を有する衣類において、上記締付けを行う部分が、表糸と裏糸の弾性糸とを平編みのシンカー乗せ編みした編み組織に構成されていることを特徴とする。
【００１１】
本発明の主たる特徴は締付けを必要とする衣類の部分を、表糸と弾性糸とを平編みのシンカー乗せ編みによって編成した編み組織とした点にある。
【００１２】
表糸と弾性糸とを平編みのシンカー乗せ編みした場合、編み組織の構造上、生地をコース方向と垂直な幅方向に引っ張ると、単に弾性糸が伸びるのではなく、編み目を構成する表糸と弾性糸とが編み目の山を低くするような挙動をとることによって伸びるので、非常に大きな伸びが得られ、又従来の一般的な靴下のように弾性糸自体が伸びた時に得られる収縮力によって締付け力を得るのではなく、表糸と弾性糸が元の編み目の山の高さに復元する力によって締付けを行うようになっているので、締付け力を非常に小さくできる。
【００１３】
その結果、着るのも脱ぐのも非常に簡単にでき、又着た時に不快な締付け感や窮屈感のない快適な衣類が得られることとなる。
【００１４】
衣類の締付けを行う部分とは具体的には靴下、腹巻、サポータ、セーターの首回り、袖口あるいは胴裾口の部分等をいう。
【００１５】
つまり、靴下の場合、履口部と靴下本体の少なくとも足首より上方の部分、好ましくは靴下本体のほぼ全体とを、表糸と裏糸の弾性糸とを平編みのシンカー乗せ編みした編み組織に構成すればよい。但し、表糸と弾性糸とを平編みのシンカー乗せ編みしただけでは履口部の締付け力が弱く、靴下がずり落ちやすくなる。そこで、履口部にはコース方向の１目、２目又は３目にゴム糸を編み込むのがよい。
【００１６】
腹巻の場合、筒状をなす全体を表糸と裏糸の弾性糸とを平編みのシンカー乗せ編みした編み組織によって構成すればよい。腹巻は二重に重ねて使用されることが多いので、筒状両端の履口の少なくとも一方にはコース方向の１目、２目又は３目にゴム糸を編み込むのがよい。
【００１７】
サポータの場合もその形態が筒状をなしているので、腹巻と同様である。但し、サポータは一重で使用されることが多いので、両端の差込み口にコース方向の１目、２目又は３目にゴム糸を編み込むのがよい。
【００１８】
さらに、セーターの場合には首回り、袖口あるいは胴裾口の部分を、表糸と裏糸の弾性糸とを平編みのシンカー乗せ編みした編み組織によって構成すればよい。この場合、首回り口、袖口及び胴裾口は１つしかないので、この首回り口、袖口及び胴裾口にコース方向の１目、２目又は３目にゴム糸を編み込むようにしてもよく、又ゴム糸を編み込まないようにすることもできる。
【００１９】
ここで、表糸及び弾性糸の材質については特に限定されず、例えば表糸には綿糸、綿アクリル混紡糸、毛糸、毛アクリル混紡糸、絹糸、絹アクリル混紡糸等を用いることができる。また、弾性糸にはカバーリングヤーン、例えばナイロン巻きポリウレタン糸やポリエステル巻きポリウレタン糸、あるいはコアスパーンヤーン（ＣＳＹ）等を用いることができる。
【発明を実施するための最良の形態】
【００２０】
以下、本発明を図面に示す具体例に基づいて詳細に説明する。図１ないし図３は本発明に係る衣類の好ましい実施形態を示し、これは靴下に適用した例である。靴下１０は全体が側面略く字状に製作され、靴下本体１１と履口部１２とからなり、靴下本体１１は概ね下脚を覆うレッグ部、足の甲を覆う足甲部、足裏を覆う底部、踵を覆う踵部及び足の爪先を覆う爪先部から構成されている。
【００２１】
靴下本体１１及び履口部１２は表糸４０と裏糸４１とを平編みのシンカー乗せ編みした編み組織で編成されている。表糸４０には３５番手の毛糸２本（又は１０番手の綿糸２本）が用いられ、裏糸には７０デニールのポリウレタンに７０デニールのナイロンを巻回したカバーリングヤーン（弾性糸）が用いられている。また、履口部１２の履口１２Ａ近くにはコース方向の１目に１００番手のゴム糸４２が編み込まれている。
【００２２】
なお、表糸４０、裏糸４１及びゴム糸４２の太さや本数は上記の太さや本数に限定されず、靴下の種類、例えば冬用靴下や夏用靴下、あるいは用いる糸の種類に応じて適宜選択するのがよい。
【００２３】
平編みのシンカー乗せ編みは図２の(a)に示されるように、表糸４０と裏糸４１とをシンカー２０の頭部２０Ａに乗せる編み方であり、図３の(a)に示される編み目となり、シンカー２０の頭部２０Ａの高さｈが目の山の高さｈとなる。他方、ゴム糸４２は図２の(a)に示されるように、シンカー２０の胴部２０Ｂの根元に引っ掛けられて編まれ、平編みのシンカー乗せ編みの編み目に対して図３の(b)に示されるように編み込まれる。
【００２４】
本例の靴下１０を編む場合、表糸４０と裏糸４１を平編みのシンカー乗せ編みにより、踵部分１１Ａ及び爪先部分１１Ｂを除いてほぼ筒状に編成する一方、履口部１２のコース方向の履口１２Ａから最初の目には通常の編み方（図２の(b)）によってゴム糸４２を編み込む。そして、靴下本体１１及び履口部１２が編まれると、その後工程で踵部分１１Ａ及び爪先部分１１Ｂを靴下本体１１に縫合すると、本例の靴下１０が得られる。
【００２５】
図７は従来の一般的な靴下の例を示す。図において、１００は靴下本体、１１０は履口部であり、履口部１１０はその帯状の部分の全体にゴム糸が編み込まれているのて、靴下本体１００よりも幅が狭くなっており、図１に示される本例の靴下１０とは外観が大きく異なっている。
【００２６】
本例の靴下１０を幅方向に引っ張ると、編み目を構成する表糸４０と裏糸４１とが編み目の山を低くするような挙動をとることによって伸び、弾性糸やゴム糸を伸長させることによる伸びとは異なり、非常に大きく伸びることができる。
【００２７】
また、本例の靴下１０の締付け力は表糸４０と弾性を有する裏糸４１が元の編み目の山の高さに復元する力によって得られ、従来の一般的な靴下のように弾性糸自体が伸びたときの弾性復元力による締付け力とは本質的に異なり、非常に小さい。
【００２８】
従って、筋力の弱い老人や病人にとっても履口部１２をひろげて足先を履口１２Ａから差し込み、履口部を上方に引っ張り上げることにより靴下本体１１を足で軽く押し広げながら履くことができる。
【００２９】
また、靴下１０を脱ぐ場合には履口部１２を持って靴下１０を押し下げるか、爪先の部分を引っ張ると、靴下本体１１及び履口部１２が足によって軽く押し広げられるので、スムーズに脱ぐことができる。
【００３０】
本例の靴下１０では低くなった編み目の山が元に戻ろうとする復元力によって締付けがなされるので、本例の靴下１０を長時間履いていても不快な締付け感や窮屈感はなく、快適に履くことができる。
【００３１】
図４は第２の実施形態を示し、これは腹巻５０に適用した例である。腹巻５０はその全体が筒状をなし、両端が履口５１となっている。この腹巻５０は表糸と裏糸とを平編みのシンカー乗せ編みした編み組織で編成されている。表糸には３５番手の毛糸４本が用いられ、裏糸には７０デニールのポリウレタンに７０デニールのナイロンを巻回したカバーリングヤーン（弾性糸）が用いられている。また、履口５１にはコース方向の１目〜３目に１００番手のゴム糸が編み込まれている。
【００３２】
本例の腹巻５０は第１の実施形態と同様の編み組織となっているので、着るのも脱ぐのも非常に簡単にでき、又着た時に不快な締付け感や窮屈感がない。
【００３３】
図５は第３の実施形態を示し、これはサポータ６０に適用した例である。サポータ６０はその全体が筒状をなし、両端が差込み口６１となっている。このサポータ６０は表糸と裏糸とを平編みのシンカー乗せ編みした編み組織で編成されている。表糸には１０番手の綿糸２本が用いられ、裏糸には７０デニールのポリウレタンに７０デニールのナイロンを巻回したカバーリングヤーン（弾性糸）が用いられている。また、差込み口６１にはコース方向の１目〜３目に１００番手のゴム糸が編み込まれている。
【００３４】
本例のサポータ６０も着けるのも脱ぐのも非常に簡単にでき、使用している時に不快な締付け感や窮屈感がない。
【００３５】
図６は第４の実施形態を示し、これはセーター７０に適用した例である。セーター７０の首回り部分７１、袖口の部分７２及び胴裾口の部分７３が表糸と裏糸とを平編みのシンカー乗せ編みした編み組織で編成されている。表糸には３５番手の毛糸４本が用いられ、裏糸には７０デニールのポリウレタンに７０デニールのナイロンを巻回したカバーリングヤーン（弾性糸）が用いられている。また、首回り口、袖口及び胴裾口にはコース方向の１目〜３目に１００番手のゴム糸が編み込まれている。
【００３６】
本例のセーター７０も着けるのも脱ぐのも非常に簡単にでき、使用している時に不快な締付け感や窮屈感がない。なお、セーターの場合には首回り口、袖口及び胴裾口にはゴム糸は必ずしも編み込まれなくてもよい。
【図面の簡単な説明】
【００３７】
【図１】本発明に係る靴下の好ましい実施形態を示す図である。
【図２】平編みのシンカー乗せ編みを説明するための図である。
【図３】平編みのシンカー乗せ編みの編み目の構成を示す図である。
【図４】第２の実施形態による腹巻を示す図である。
【図５】第３の実施形態によるサポータを示す図である。
【図６】第４の実施形態によるセーターを示す図である。
【図７】従来の一般的な靴下の形状を示す図である。
【符号の説明】
【００３８】
１０      靴下
１１      靴下本体
１２      履口部
１２Ａ      履口
２０      シンカー
２０Ａ      頭部
４０      表糸
４１      裏糸
４２      ゴム糸
５０      腹巻
５１      履口
６０      サポータ
６１      差込み口
７０      セーター
７１      首回り
７２      袖口
７３      胴裾口
【図１】
2005179867.tif 000003
【図２】
2005179867.tif 000004
【図３】
2005179867.tif 000005
【図４】
2005179867.tif 000006
【図５】
2005179867.tif 000007
【図６】
2005179867.tif 000008
【図７】
2005179867.tif 000009